(57)【特許請求の範囲】
【請求項１】
浴水を循環して浄水する浴水浄化装置において、
浴水の循環路中に設けられたイオン交換樹脂と、
塩化ナトリウムを保持し、該塩化ナトリウムと浴水を導入して電気分解する電解槽を有し、浴水の循環路中に該電気分解により得た塩素を供給し、浴水を殺菌する電解殺菌装置と、
前記電解槽に浴水を導入する手段と、  
前記電解殺菌装置が保持する塩化ナトリウムを前記電解槽に導入し、更に浴水を該電解槽に導入して、塩化ナトリウムを所定の濃度に調整した溶液とし、該溶液を前記イオン交換樹脂に接触させて再生させる手段と、
を備えたことを特徴とする浴水浄化装置。
【請求項２】
浴水を循環して浄水する浴水浄化装置において、
塩化ナトリウムを保持し、該塩化ナトリウムと浴水を導入して電気分解する電解槽を有し、浴水の循環路中に該電気分解により得た塩素を供給し、浴水を殺菌する電解殺菌装置と、
前記電解槽に浴水を導入する手段と、
浴水の循環路中に開閉可能に設けられたイオン交換樹脂を保持する管路と、
前記電解殺菌装置が保持する塩化ナトリウムを前記電解槽に導入し、更に浴水を該電解槽に導入して、塩化ナトリウムを所定の濃度に調整した溶液とし、該塩化ナトリウム溶液を前記管路に導入して前記イオン交換樹脂に接触させて再生させる手段と、
を備えたことを特徴とする浴水浄化装置。
【発明の詳細な説明】
【技術分野】
【０００１】
この発明は、浴水を循環して浄化する浴水浄化装置に関する。
【背景技術】
【０００２】
浴槽の湯を循環する浴水浄化装置においては、浴水として通常は水道水が使用されるが、地域によって水道水に含まれるカルシウム成分などが異なるため、水道水の硬度が異なる。水道水の硬度が高い地域では、カルシウム等が析出することで、浴水浄化装置の循環ポンプに付着してポンプロックを起こしたり、配管経路に付着して、配管の目詰まりを発生するなどの問題があった。
この水道水中の硬度分は、循環路中にイオン交換樹脂を配置し、吸着除去することがで可能である。
【０００３】
【特許文献１】特開２００１−１７０６２８号公報
【発明の開示】
【発明が解決しようとする課題】
【０００４】
しかしながら、イオン交換樹脂で一定量の吸着が行われた場合には、イオン交換樹脂の吸着除去能力が低下してしまうという問題があった。これを解決するには、イオン交換樹脂を装置から取り外して、置換除去を行って再生する必要があり、そのために装置のメンテナンスが必要であった。
本発明は上記従来技術の問題点に鑑みてなされたもので、イオン交換樹脂による硬度分の除去とイオン交換樹脂の再生を効率的に行える浴水浄化装置を提供することを目的とする。
【課題を解決するための手段】
【０００５】
上記目的を達成するために、本発明は、浴水を循環して浄水する浴水浄化装置において、 浴水の循環路中に設けられたイオン交換樹脂と、塩化ナトリウムを保持し、該塩化ナトリウムと浴水を導入して電気分解する電解槽を有し、浴水の循環路中に該電気分解により得た塩素を供給し、浴水を殺菌する電解殺菌装置と、前記電解槽に浴水を導入する手段と、前記電解殺菌装置が保持する塩化ナトリウムを前記電解槽に導入し、更に浴水を該電解槽に導入して、塩化ナトリウムを所定の濃度に調整した溶液とし、該溶液を前記イオン交換樹脂に接触させて再生させる手段と、を備えたことを特徴とする。イオン交換樹脂は好適には、浴水の循環路中に開閉可能に設けられた管路に保持され、再生させる手段は、前記管路に塩化ナトリウム溶液を導入して該イオン交換樹脂に接触させて再生させるのが望ましい。
【発明の効果】
【０００６】
本発明の浴水浄化装置によれば、カルシウム分等の硬度分が効果的に除去でき、別途軟水器等の設置の必要がない。また、イオン交換樹脂性能の維持のための再生処理も簡単にかつ効率的に行えるから、硬度分除去性能を維持できる。
また、食塩の電気分解による電解殺菌装置を備えているため、塩素殺菌を行える上、電解殺菌装置の塩化ナトリウムを使用し、しかも電解槽を利用して濃度調整を行った塩化ナトリウムによりイオン交換樹脂の再生を行えるため、極めて効率的である。
【発明を実施するための最良の形態】
【０００７】
以下本発明の実施の形態を図面に基づいて説明する。
図１において、浴槽Ｂ内に設置された吸水口３０から浴水が循環ポンプ３２により吸い上げられ、排出弁３３を経由してヒータ３５で加温され、紫外線殺菌装置３６で殺菌された上、濾過タンク３７において濾過され、バルブ１８、バルブ３８、を経由して出水口３１から浴槽Ｂに戻る循環経路を形成している。
【０００８】
また、必要に応じて濾過タンク３７の出口側の絞り１９において電解殺菌装置５から供給管１３を経由した次亜塩素酸が供給され、塩素殺菌を施されるようになっている。
【０００９】
電解殺菌装置５は電解槽１１を有し、この電解槽１１は塩化ナトリウム槽１０からバルブ１２を経由して適宜食塩の供給を受けて、また浴水を導入して、適宜の濃度とした上で、これを電気分解して次亜塩素酸を発生するようになっている。
塩化ナトリウム槽１０には循環用管路１５が設けられ、バルブ１４を経由して電解槽１１に接続するようになっている。
【００１０】
前記吸水口３０と循環ポンプ３２の間にはバルブ３を介して管路２が設けられており、該管路２内部にイオン交換樹脂１が保持されている。バルブ３をイオン交換樹脂１側に切り替えると、吸水口３０からの浴水はバルブ３を経由してイオン交換樹脂１、管路２を通り、循環ポンプ３２へ送られる。前記イオン交換樹脂１を通過する時に、イオン交換され、浴水に含まれるマグネシウムやカルシウムなどの硬度分を除去するようになっている。
【００１１】
イオン交換は常に行う必要はなく、例えば浴槽Ｂに新たな水道水が導入された時などに行えばよい。バルブ３の切替は制御装置４０により行われるように構成されている。
【００１２】
イオン交換樹脂１は硬度分の付着が多くなると、硬度分除去効果が薄れるため、適宜食塩水を導入して再生を図る必要がある。
この実施形態では、塩化ナトリウム槽１０の食塩を利用して再生するようになっている。即ち、バルブ１２とバルブ１４により塩化ナトリウム槽１０と電解槽１１を接続し、塩化ナトリウム槽１０の食塩を電解槽１１に注入する。そして、バルブ１２を経由して浴水を電解槽１１に導入し、食塩濃度を適当な濃度に調整した上で、図２に示すように絞り１９を介して浴水循環路に塩化ナトリウム溶液を供給する。
【００１３】
図２において、塩化ナトリウム溶液はバルブ１８、注入管路１７、バルブ３を経由してイオン交換樹脂１に供給され、イオン交換樹脂１の再生を行う。そして管路２、循環ポンプ３２、排出弁３３、を経て、一部はヒータ３５へ向かい、他は循環用管路１５を通って、バルブ１４から電解槽１１に戻る経路をたどる。
【００１４】
次に、バルブ１４を切り替えて循環用管路１５から電解槽１１への経路を断ち、排出弁３３、ヒータ３５、紫外線殺菌装置３６、濾過タンク３７、バルブ１８、注入管路１７、バルブ３、イオン交換樹脂１、管路２、循環ポンプ３２、を経て排出弁３３に戻る経路を形成して、塩化ナトリウム溶液を循環させる。塩化ナトリウム溶液の循環はイオン交換樹脂１を再生するために必要な時間行うようになっている。
これらのバルブの開閉、その他の動作の制御は制御装置４０により行われるようになっている。
【００１５】
イオン交換樹脂１の再生が終了したら、塩化ナトリウム溶液は排出管３４から排出される。即ち、イオン交換樹脂１、管路２、循環ポンプ３２、バルブ３８，バルブ１８、濾過タンク３７、紫外線殺菌装置３６、ヒータ３５、排出弁３３を経由して排出管３４から排出されるようになっている。
【００１６】
次に図３により動作を説明する。
通常の浄化運転を行い（ステップＳ１）、硬度分の除去が必要な場合は（ステップＳ２）、バルブ３を管路２側に切り替えてイオン交換樹脂１に浴水を通水して硬度分の除去を行う（ステップＳ３）。この際循環速度を落として（ステップＳ４）、運転するのが望ましい。ステップＳ２の硬度分の除去の必要性は、操作者による判断やセンサなどからの信号により行う。通常は新たに水道水を導入した時に行う。
【００１７】
所定時間経過したら（ステップＳ５）、イオン交換樹脂１の再生を行う。そのために、塩化ナトリウム槽１０の食塩を電解槽１１に導入して、所定濃度の塩化ナトリウム溶液を生成する（ステップＳ６）。そしてバルブ１４を切り替えて循環用管路１５から電解槽１１への経路を断ち、排出弁３３、ヒータ３５、紫外線殺菌装置３６、濾過タンク３７、バルブ１８、注入管路１７、バルブ３、イオン交換樹脂１、管路２、循環ポンプ３２、を経て排出弁３３に戻る閉管路を形成して、塩化ナトリウム溶液を循環させ（ステップＳ７）、イオン交換樹脂１に塩化ナトリウム溶液を通水する（ステップＳ８）。所定時間経過したら（ステップＳ９）、塩化ナトリウム溶液をイオン交換樹脂１、管路２、循環ポンプ３２、バルブ３８，バルブ１８、濾過タンク３７、紫外線殺菌装置３６、ヒータ３５、排出弁３３を経由して排出管３４から排出する（ステップＳ１０、１１）。
【００１８】
次に他の実施例を図４に示す。この実施例では、管路２を設けずに、イオン交換樹脂１を濾過タンク３７内部に装着している。従って、浄化運転中は常にイオン交換による硬度分の除去を行っている。
【００１９】
イオン交換樹脂１の再生は、同様に塩化ナトリウム槽１０の食塩を利用して再生するようになっている。即ち、バルブ１２とバルブ１４により塩化ナトリウム槽１０と電解槽１１を接続し、塩化ナトリウム槽１０の食塩を電解槽１１に注入する。そして、電解槽１１において浴水を導入して、食塩濃度を適当な濃度に調整した上で、図２に示すように絞り１９を介して浴水循環路に塩化ナトリウム溶液を供給する。
【００２０】
図５において、塩化ナトリウム溶液はバルブ１８、注入管路１７、循環ポンプ３２、排出弁３３、ヒータ３５、紫外線殺菌装置３６を経由してイオン交換樹脂１に入り、ここでイオン交換樹脂１に接触してイオン交換樹脂１の再生を行う。
【００２１】
次に、バルブ１４を切り替えて循環用管路１５から電解槽１１への経路を断ち、排出弁３３、ヒータ３５、紫外線殺菌装置３６、濾過タンク３７、バルブ１８、注入管路１７、循環ポンプ３２、を経て排出弁３３に戻る経路を形成して、塩化ナトリウム溶液を循環させる。塩化ナトリウム溶液の循環はイオン交換樹脂１を再生するために必要な時間行うようになっている。
これらのバルブの開閉、その他の動作の制御は同様に制御装置４０により行われるようになっている。
【００２２】
イオン交換樹脂１の再生が終了したら、塩化ナトリウム溶液は排出管３４から排出される。即ち、循環ポンプ３２、バルブ３８，バルブ１８、濾過タンク３７、紫外線殺菌装置３６、ヒータ３５、排出弁３３を経由して排出管３４から排出されるようになっている。
【００２３】
なお、図４の実施形態の動作は、図２のステップＳ２、Ｓ３、Ｓ４を除いた動作になる。
【図面の簡単な説明】
【００２４】
【図１】本発明の一実施形態を示す機能ブロック図。
【図２】本発明の一実施形態の動作を示す機能ブロック図。
【図３】本発明の一実施形態の動作を示すフローチャート図。
【図４】本発明の他の実施形態を示す機能ブロック図。
【図５】本発明の他の実施形態の動作を示す機能ブロック図
【符号の説明】
【００２５】
１：イオン交換樹脂、２：管路、３：バルブ、５：電解殺菌装置、１０：塩化ナトリウム槽、１１：電解槽、１２：バルブ、１３：供給管、１４：バルブ、１５：循環用管路、１６：循環用管路、１７：注入管路、１８：バルブ、１９：絞り、３０：吸水口、３１：出水口、３２：循環ポンプ、３３：排出弁、３４：排出管、３５：ヒータ、３６：紫外線殺菌装置、３７：濾過タンク、３８：バルブ、４０：制御装置。
【図１】
0004777712.tif 000002
【図２】
0004777712.tif 000003
【図３】
0004777712.tif 000004
【図４】
0004777712.tif 000005
【図５】
0004777712.tif 000006